(57)【要約】【課題】比較的厚みを有する被挟持物を挿入した場合やクリップに左右方向の力が加わった場合、クリップが筒体から外れたり、ぐらつくことを防止し、さらに、クリップ取付時に筒体の外面を傷つけることを防止する。【解決手段】クリップ１が、一対の基部１２と、該基部１２の端部より連設される一対の取付片部１３とを備える。取付片部１３の後部の各々に、基部１２より後方に突出する挿入部１４を設ける。挿入部１４の下端部の各々に、係止部１５を連設する。筒体２の前端部に、外筒部２１と内筒部２２とを設ける。外筒部２１内面と内筒部２２外面との間に隙間２３を設ける。外筒部２１内面に一対のリブ２４を設ける。クリップ取付時、筒体２の前方から挿入部１４を隙間２３に挿入し、挿入部１４内面を内筒部２２外面に圧接させるとともに、係止部１５上面をリブ２４下面に係止させる。【選択図】  図８
2005081743.tif 000002
【特許請求の範囲】
【請求項１】
クリップが、クリップ本体と、該クリップ本体の端部に連設される一対の基部と、該基部の端部より連設される一対の取付片部とを備え、前記クリップの取付片部を筒体の前端部に挿入し、前記基部を筒体の前端部外側面より露出させてなるクリップ取付構造であって、筒体の前端部に、外筒部と内筒部とを設け、前記外筒部の内面と前記内筒部の外面との間に前方に開口する隙間を設け、前記外筒部の内面に軸方向に延びる一対のリブを設け、一方、前記クリップの一対の取付片部の各々の後部に、基部より後方に突出する挿入部を設け、前記挿入部の下端部の各々に、径方向外方に突出し且つ軸方向に延びる係止部を連設してなり、クリップ取付時、前記挿入部を前記隙間に筒体の前方から挿入し、前記挿入部の内面を前記内筒部の外面に圧接させるとともに、前記係止部の上面を前記リブの下面に係止させてなることを特徴とするクリップ取付構造。
【請求項２】
前記内筒部の外面に凸部を設け、前記凸部を一対の挿入部の間に圧入し、前記係止部の外端部を外筒部の内面と径方向外方に圧接させてなる請求項１記載のクリップ取付構造。
【請求項３】
筒体の前端部に頭冠を取り付け、前記頭冠に、後方に延びる脚片部を設け、前記脚片部を、前記挿入部の外面と外筒部の内面との間に圧入してなる請求項１または２記載のクリップ取付構造。
【発明の詳細な説明】
【技術分野】
【０００１】
本発明は、クリップ取付構造に関する。詳細には、クリップの一対の基部が、筒体（例えば、筆記具のキャップまたは軸筒）の外周面の略半周を包囲するタイプのクリップ取付構造に関する。尚、本発明で「前」とは筒体の頂部側及びクリップの基部側を指し、「後」とはその反対側を指す。また、本発明で「上」とは筒体のクリップ本体側を指し、「下」とはその反対側を指す。また、本発明で「左右」とは、クリップ本体を縦方向に正面視した場合のクリップの対称軸に対する両側を指す。
【背景技術】
【０００２】
従来、特許文献１には、「軸筒後方における１８０°対称の位置に長手方向の透孔を一対穿設し、クリップの後方に軸筒の外側面とほぼ同形状の内側面を有する脚部を一体的に設け、該脚部の両側端に前記透孔より僅かに薄い肉厚で同透孔の長さより僅かに小寸法の舌片をそれぞれ一体的に折曲して設け、前記脚部を軸筒にあてがい押圧することにより、前記舌片を透孔に係合せしめてなるクリップ取り付け構造。」が記載されている。
【０００３】
【特許文献１】実開平６−５９９０号公報
【発明の開示】
【発明が解決しようとする課題】
【０００４】
前記従来のクリップ取付構造は、クリップの取付強度が不十分であり、比較的厚みのある被挟持物をクリップに挿入した際、クリップ本体が持ち上げられると、クリップの脚部（本願の基部）が径方向外方に開き、透孔から舌片が外れてしまうおそれがある。また、クリップに左右方向の力が加わった場合も、クリップの脚部が径方向外方に開き、クリップがぐらつくおそれがある。
【０００５】
また、前記従来のクリップ取付構造は、クリップを軸筒（本願の筒体）に取り付ける際、前記脚部のクリップの舌片が軸筒外面に当たり、軸筒外面を傷つけるおそれがある。
【０００６】
本発明は前記従来の問題点を解決するものであって、比較的厚みを有する被挟持物を挿入した場合やクリップに左右方向の力が加わった場合、クリップが筒体から外れたり、ぐらついたりすることを防止でき、さらには、クリップ取付時に筒体の外面を傷つけるおそれがないクリップ取付構造を提供しようとするものである。
【課題を解決するための手段】
【０００７】
〔１〕本発明は、クリップ１が、クリップ本体１１と、該クリップ本体１１の端部に連設される一対の基部１２と、該基部１２の端部より連設される一対の取付片部１３とを備え、前記クリップ１の取付片部１３を筒体２の前端部に挿入し、前記基部１２を筒体２の前端部外側面より露出させてなるクリップ取付構造であって、筒体２の前端部に、外筒部２１と内筒部２２とを設け、前記外筒部２１の内面と前記内筒部２２の外面との間に前方に開口する隙間２３を設け、前記外筒部２１の内面に軸方向に延びる一対のリブ２４を設け、一方、前記クリップ１の一対の取付片部１３の各々の後部に、基部１２より後方に突出する挿入部１４を設け、前記挿入部１４の下端部の各々に、径方向外方に突出し且つ軸方向に延びる係止部１５を連設してなり、クリップ取付時、前記挿入部１４を前記隙間２３に筒体２の前方から挿入し、前記挿入部１４の内面を前記内筒部２２の外面に圧接させるとともに、前記係止部１５の上面を前記リブ２４の下面に係止させてなること（請求項１）を要件とする。
【０００８】
前記請求項１の「挿入部１４の内面を内筒部２２の外面に圧接させるとともに、係止部１５の上面をリブ２４の下面に係止させてなること」により、クリップ１が大きく持ち上げられたり、クリップ１が左右方向に力が加わったとしても、クリップ１が筒体２から外れたり、ぐらつくおそれがない。
【０００９】
また、請求項１の「外筒部２１内面と内筒部２２外面との間に前方に開口する隙間２３を設け、クリップ取付時、挿入部１４を隙間２３に筒体２の前方から挿入すること」により、クリップ１を筒体２に取り付ける際、取付片部１３が筒体２の外面に接触することがなく、筒体２の外面を傷つけるおそれがない。
【００１０】
〔２〕前記請求項１のクリップ取付構造において、前記内筒部２２の外面に凸部２５を設け、前記凸部２５を一対の挿入部１４の間に圧入し、前記係止部１５の外端部を外筒部２１の内面と径方向外方に圧接させてなること（請求項２）が好ましい。それにより、より一層、取付片部１３が隙間２３内でガタつくことが抑えられ、クリップ１と筒体２との取り付けが強固になる。
【００１１】
〔３〕前記請求項１または２のクリップ取付構造において、筒体２の前端部に頭冠３を取り付け、前記頭冠３に、後方に延びる脚片部３２を設け、前記脚片部３２を、前記挿入部１４の外面と外筒部２１の内面との間に圧入してなること（請求項３）が好ましい。それにより、より一層、取付片部１３が隙間２３内でガタつくことが抑えられ、クリップ１と筒体２との取り付けが強固になる。
【発明の効果】
【００１２】
請求項１により、比較的厚みを有する被挟持物を挿入した場合やクリップに左右方向の力が加わった場合、クリップが筒体から外れたり、ぐらついたりするおそれがなく、しかも、クリップ取付時に筒体の外面が傷つけられるおそれがない。
【００１３】
請求項２により、より一層、取付片部が隙間内でガタつくことが抑えられ、クリップと筒体との取り付けが強固になる。
【００１４】
請求項３により、より一層、取付片部が隙間内でガタつくことが抑えられ、クリップと筒体との取り付けが強固になる。
【発明を実施するための最良の形態】
【００１５】
本発明を実施するための最良の形態を、以下、図面に従って説明する。
【実施例】
【００１６】
図１乃至図８に、本発明の一実施例を示す。
【００１７】
本実施例のクリップ取付構造は、クリップ１と、筒体２と，頭冠３とからなる。
【００１８】
（クリップ）
前記クリップ１は金属板からなり、クリップ本体１１と、一対の基部１２と、一対の取付片部１３と、一対の連結部１８と、一対の挿入部１４と、一対の係止部１５と、玉部１６とが、折曲により一体に連設されてなる。前記基部１２は、前記クリップ本体１１の前端に一対、連設される。前記取付片部１３は、基部１２の端部から連結部１８を介して基部１２の内側に位置するよう折曲により連設され、軸方向に延びる湾曲状の板片からなる。前記挿入部１４は、前記取付片部１３が基部１２よりも後方（即ち玉部１６側）に突出する部分である。前記係止部１５は、前記挿入部１４の下端より径方向外方に折曲により連設され且つ軸方向に延びる板片からなる。前記係止部１５の径方向外方の端部には、鋸歯部１７が形成される。
【００１９】
（筒体）
前記筒体２は、キャップまたは軸筒であり、合成樹脂の射出成形により得られる。前記筒体２の前端部（頂部）には、外筒部２１と内筒部２２とからなる二重筒部が一体に形成され、前記外筒部２１の外面と内筒部２２の外面との間に、軸方向前方に開口する環状の隙間２３が形成される。
【００２０】
また、前記外筒部２１の内面には、略１８０度対称位置に軸方向に延びる一対のリブ２４が一体に設けられる。前記内筒部２２のクリップ側の外面には、前記一対のリブ２４の間の中間位置に、軸方向に延びる凸部２５が一体に形成される。
【００２１】
（頭冠）
前記頭冠３は、合成樹脂の射出成形により得られ、筒体２の前端部に取り付けられる。前記頭冠３は、筒体２の前端部より外部に露出する露出部３１と、該露出部３１より後方に延設される一対の半筒状の脚片部３２とからなる。前記脚片部３２の間には、軸方向に延びる一対のスリット３３が形成される。
【００２２】
（作用）
クリップ１を筒体２に取り付ける際、前記クリップ１の取付片部１３の挿入部１４が、前記外筒部２１の内面と内筒部２２の外面の間の隙間２３に、前方より挿入される。そして、挿入部１４の内面が内筒部２２の外面に圧接されるとともに、挿入部１４の係止部１５の上面がリブ２４の下面に係止される。それにより、クリップ本体１１が大きく持ち上げられたり、クリップ本体１１に左右方向に力が加わったとしても、クリップ１が筒体２から外れたり、ぐらつくおそれがない。また、クリップ１を筒体２に取り付ける際、取付片部１３が筒体２の外面に接触することがなく、筒体２の外面を傷つけることを回避できる。
【００２３】
また、挿入部１４を隙間２３に挿入した際、内筒部２２の外面の凸部２５が一対の挿入部１４の間に圧入され、挿入部１４が径方向外方に押し広げられ、挿入部１４の係止部１５の外端部（具体的には鋸歯部１７）が外筒部２１の内面に圧接（具体的には食いつき係止）される。それにより、より一層、取付片部１３が隙間２３内でガタつくことが抑えられ、クリップ１と筒体２との取り付けが強固になるとともに、クリップ１の脱落が防止される。
【００２４】
さらに、頭冠３の脚片部３２が、挿入部１４の外面と外筒部２１の内面との間に圧入される。それにより、より一層、取付片部１３が隙間２３内でガタつくことが抑えられ、クリップ１と筒体２との取り付けが強固になる。前記頭冠３のスリット３３には、クリップ１の連結部１８及びリブ２４が挿入され、クリップ１の一対の基部１２が筒体２前端部の外側面より外部に露出され、一方、クリップ１の取付片部１３（挿入部１４及び係止部１５を含む）が筒体２内及び頭冠３内に収容される。
【図面の簡単な説明】
【００２５】
【図１】本発明の一実施例を示す縦断面図である。
【図２】図１のＡ−Ａ線に沿う端面図である。
【図３】図１の外観を示す図である。
【図４】本実施例のクリップの外観を示す図である。
【図５】図４のクリップの裏面図である。
【図６】図４のクリップの基部側（前方）から見た図である。
【図７】本実施例の頭冠の外観を示す図である。
【図８】（ａ）は、本実施例のクリップの斜視図であり、（ｂ）は、本実施例の筒体の斜視図である。
【符号の説明】
【００２６】
１  クリップ
１１  クリップ本体
１２  基部
１３  取付片部
１４  挿入部
１５  係止部
１６  玉部
１７  鋸歯部
１８  連結部
２  筒体
２１  外筒部
２２  内筒部
２３  隙間
２４  リブ
２５  凸部
３  頭冠
３１  露出部
３２  脚片部
３３  スリット
【図１】
2005081743.tif 000003
【図２】
2005081743.tif 000004
【図３】
2005081743.tif 000005
【図４】
2005081743.tif 000006
【図５】
2005081743.tif 000007
【図６】
2005081743.tif 000008
【図７】
2005081743.tif 000009
【図８】
2005081743.tif 000010